(57)【要約】【課題】本発明は統合マルチメディアファイルフォーマット構造と、統合マルチメディアファイルフォーマット構造に基づくマルチメディアサービスシステムを提供する。【解決手段】本発明のマルチメディアサービスシステムはオーディオデータとこれに関連した単純なテキスト情報のみを提供する従来のものとは異なり、オーディオ圧縮データ、イメージデータ、テキストデータ、コンテンツ保護メタデータ及びライセンスメタデータを含む統合コンテンツを生成し、このような統合マルチメディアファイルフォーマット構造を用いることでマルチメディアサービスが提供できることを可能にする。【選択図】      図１
2009506475.tif 000002
【特許請求の範囲】
【請求項１】
ＩＳＯ準拠のファイルフォーマット（ＩＳＯ ｂａｓｅｄ ｆｉｌｅ ｆｏｒｍａｔ）を用いてオーディオ圧縮データと関連したビデオ圧縮データ、イメージデータ、テキストデータ、及びコンテンツ情報メタデータのうちの少なくとも１つを含むコンテンツを統合構成する統合マルチメディアファイルフォーマット構造であって、
多数のｔｒａｋボックスを用いて前記オーディオ圧縮データに対応するビデオ圧縮データ、イメージデータ、テキストデータ、イメージ、ビデオ及びテキストデータにアニメーション効果を付与するスクリプトデータ、コンテンツ保護メタデータ及びライセンス保護メタデータのうちの少なくとも１つのデータを指示し、同期化テキストデータを別途のｔｒａｋボックスに指定するｍｏｏｖボックスと、
前記ｍｏｏｖボックスの各ｔｒａｋボックスにより指示される該当データを含み、前記別途のｔｒａｋボックスに対応する同期化テキストデータを含むｍｄａｔボックスと、
前記コンテンツの情報が記録されたメタデータを格納するｍｅｔａボックスと
を含むことを特徴とする統合マルチメディアファイルフォーマット構造。
【請求項２】
前記メタボックスは、前記コンテンツ保護メタデータ、ライセンス情報メタデータ、非同期化ＭＰＥＧ-７メタデータのうちの少なくとも１つを含むことを特徴とする請求項１に記載の統合マルチメディアファイルフォーマット構造。
【請求項３】
前記メタボックスは、ＭＰＥＧ-２１ ＤＩＤを用いて前記コンテンツ保護メタデータ、ライセンス情報メタデータ、及び非同期化ＭＰＥＧ-７メタデータのうちの少なくとも１つを記録することを特徴とする請求項２に記載の統合マルチメディアファイルフォーマット構造。
【請求項４】
前記コンテンツ保護メタデータ及びライセンス情報メタデータは、ＭＰＥＧ-２１ ＩＰＭＰ（Ｉｎｔｅｌｌｅｃｔｕａｌ Ｐｒｏｐｅｒｔｙ Ｍａｎａｇｅｍｅｎｔ ａｎｄ Ｐｒｏｔｅｃｔｉｏｎ） Ｃｏｍｐｏｎｅｎｔｓ基準を用いてコンテンツ保護情報を示すことを特徴とする請求項２に記載の統合マルチメディアファイルフォーマット構造。
【請求項５】
前記オーディオ圧縮データと前記イメージデータに関するコンテンツ保護情報は、前記ｍｏｏｖボックス内のｉｐｍｃボックスに記録されることを特徴とする請求項１に記載の統合マルチメディアファイルフォーマット構造。
【請求項６】
前記オーディオ圧縮データ、イメージデータ及びテキストデータに関する保護情報（ＩＰＭＰ_ＤＩＤＬ）は、ｘｍｌボックス内に記録することを特徴とする請求項１に記載の統合マルチメディアファイルフォーマット構造。
【請求項７】
前記スクリプトデータは、ＭＰＥＧ-４ ＬＡＳｅＲ（Ｌｉｇｈｔｗｅｉｇｈｔ Ａｐｐｌｉｃａｔｉｏｎ Ｓｃｅｎｅ Ｒｅｐｒｅｓｅｎｃｅ）標準、ＳＭＩＬ（Ｓｙｎｃｈｒｏｎｉｚｅｄ Ｍｕｌｔｉｍｅｄｉａ Ｉｎｔｅｇｒａｔｉｏｎ Ｌａｎｇｕａｇｅ）標準、ＳＶＧ（Ｓｃａｌａｖｌｅ Ｖｅｃｔｏr Ｇｒａｐｈｉｃ）標準、ＳＶＧ Ｔｉｎｙ標準及びＸＭＬ標準のうちの少なくとも１つを用いて構成されることを特徴とする請求項１に記載の統合マルチメディアファイルフォーマット構造。
【請求項８】
前記オーディオ圧縮データは、ＭＰ３、ＭＰＥＧ-２／４ ＡＡＣ、ＷＭＡ、ＡＶＩ、Ｇ．７２３、ＰＣＭ、ＭＰＥＧ-４ ＡＬＳ（Ａｕｄｉｏ Ｌｏｓｓｌｅｓｓ Ｃｏｄｉｎｇ）、ＭＰＥＧ-４ ＤＳＴ（Ｌｏｓｓｌｅｓｓ Ｃｏｄｉｎｇ ｏｆ ｏｖｅｒｓａｍｐｌｅｄ ａｕｄｉｏ）ファイルフォーマットのうちの少なくとも１つのファイルフォーマットであることを特徴とする請求項１に記載の統合マルチメディアファイルフォーマット構造。
【請求項９】
前記イメージデータは、ＪＰＥＧ、ＰＮＧ、ＢＭＰ、ＴＩＦＦ、ＪＰＥＧ２０００、ＭＰＥＧ Ｉ-ｆｒａｍｅ、ＧＩＦ、ａｎｉｍａｔｅｄ ＧＩＦ、ＰＧＭＹＵＶ、ＰＧＭ、ＹＵＶ、ＳＧＩファイルフォーマットのいずれか１つのファイルフォーマットであることを特徴とする請求項１に記載の統合マルチメディアファイルフォーマット構造。
【請求項１０】
前記イメージデータは、歌手の写真、ミュージックアルバムの写真、ストーリー関連内容の静止画、ストーリー関連内容の動画、単語発音のための舌の位置写真、語学会話用文章関連の状況説明イメージのうちの少なくともいずれか１つを含むことを特徴とする請求項９に記載の統合マルチメディアファイルフォーマット構造。
【請求項１１】
前記ビデオデータは、Ｈ.２６４／ＡＶＣ、ＳＶＣ、ＭＰＥＧ-１、ＭＰＥＧ-２、ＭＰＥＧ-４、ＷＭＶ、Ｈ.２６１、Ｈ.２６３、Ｈ.２６Ｌ、ＡＶＩ、ＲｅａｌＶｉｄｅｏ、ＤＶ、ＭＪＰＥＧ、Ａｐｐｌｅ Ｖｉｄｅｏファイルフォーマットのうちの少なくとも１つを支援することを特徴とする請求項１に記載の統合マルチメディアファイルフォーマット構造。
【請求項１２】
前記テキストデータは、歌の歌詞、ストーリー文章、語学用文章、発音単語（ｐｒｏｎｕｎｃｉａｔｉｏｎ of ｗｏｒｄｓ）のうちの少なくともいずれか１つを含むことを特徴とする請求項１に記載の統合マルチメディアファイルフォーマット構造。
【請求項１３】
前記テキストデータは同期化テキストを含むか、又は各分割テキストに時間情報を含むことを特徴とする請求項１２に記載の統合マルチメディアファイルフォーマット構造。
【請求項１４】
前記同期化テキストは、ｔｒａｋボックス内にタイムスタンプ、オフセット、チャンク単位のいずれか１つを含むことを特徴とする請求項１３に記載の統合マルチメディアファイルフォーマット構造。
【請求項１５】
前記同期化テキストは、ＩＳＯ／ＩＥＣ １４４９６-１７ファイルフォーマットであることを特徴とする請求項１３に記載の統合マルチメディアファイルフォーマット構造。
【請求項１６】
前記コンテンツ保護メタデータは、コンテンツ保護に用いられる暗号化ツール、暗号化キー、暗号化位置情報及び暗号化パラメータを含むことを特徴とする請求項１に記載の統合マルチメディアファイルフォーマット構造。
【請求項１７】
前記ライセンス情報メタデータは、ユーザ認証キー値、ユーザ端末認証キー値、コンテンツ使用期間、コンテンツの再生回数、コンテンツ使用の有効期間のうちの少なくともいずれか１つを含むことを特徴とする請求項１に記載の統合マルチメディアファイルフォーマット構造。
【請求項１８】
前記ファイルフォーマット構造は、前記オーディオ圧縮データに前記イメージデータ、ビデオ圧縮データ及びテキストデータのうちの少なくとも１つを組み合わせ同期化して構成することを特徴とする請求項１に記載の統合マルチメディアファイルフォーマット構造。
【請求項１９】
前記ファイルフォーマット構造は、前記オーディオ圧縮データが少なくとも１つのオーディオトラックを有することを特徴とする請求項１に記載の統合マルチメディアファイルフォーマット構造。
【請求項２０】
統合マルチメディアファイルフォーマット構造を有する統合コンテンツを提供するマルチメディアサービスシステムであって、
前記統合コンテンツの使用権限を設定し、これに対するライセンス情報メタデータを生成し、前記コンテンツを前記生成されたライセンス情報メタデータに応じて暗号化し、前記暗号化に関連したコンテンツ保護メタデータを生成し、これにより前記統合マルチメディアファイルフォーマット構造を有する統合コンテンツを生成してネットワークを介して伝送するコンテンツサーバシステムと、
前記ネットワークを介して前記統合コンテンツを受信して格納し、前記格納された統合コンテンツを前記ライセンス情報メタデータ及び前記コンテンツ保護メタデータに応じて解読して復号化した後にこれを表示し、該当統合コンテンツの実行命令に応じてこれを実行するユーザ情報端末と
を含むことを特徴とするマルチメディアサービスシステム。
【請求項２１】
前記マルチメディアサービスシステムは、前記統合マルチメディアファイルフォーマット構造を有する統合コンテンツを前記ユーザ情報端末に提供する格納媒体を更に含むことを特徴とする請求項２０に記載のマルチメディアサービスシステム。
【請求項２２】
前記コンテンツサーバシステムは、
前記ネットワークを介して伝送される統合コンテンツ要請信号を受信する統合コンテンツ要請受信部と、
前記統合コンテンツのコンテンツ保護方法を提供するコンテンツ保護／ライセンス管理部と、
コンテンツ使用権限に対するユーザ認証及び使用権限の範囲を確認してこのような情報を前記コンテンツ保護／ライセンス管理部に提供するユーザ認証部と、
前記ユーザ認証と前記使用権限に応じて適合したコンテンツを要求するコンテンツ引出部と、
前記要求されたコンテンツを抽出して提供するコンテンツ格納部と、
前記コンテンツ保護／ライセンス管理部から提供されるコンテンツ保護方法に応じてコンテンツを暗号化するコンテンツ暗号部と、
前記コンテンツ保護方法を記述するための情報記録のためにコンテンツ保護メタデータを生成するコンテンツ保護メタデータ生成部と、
前記コンテンツ保護／ライセンス管理部の決定に従ったライセンス情報の記録のためにライセンスメタデータを生成するライセンスメタデータ生成部と、
前記コンテンツ暗号部、前記コンテンツ保護メタデータ生成部及び前記ライセンスメタデータ生成部からそれぞれ提供される前記暗号化されたコンテンツ、前記コンテンツ保護メタデータ及び前記ライセンスメタデータを同期化情報に応じて１つの統合コンテンツを生成する統合コンテンツ生成部と、
前記ネットワークを介して前記生成された統合コンテンツをユーザ情報端末に伝送する統合コンテンツ伝送部と
を含むことを特徴とする請求項２０に記載のマルチメディアサービスシステム。
【請求項２３】
前記ユーザ情報端末は、
前記コンテンツサーバシステムから伝送される前記統合コンテンツを受信する統合コンテンツ受信部と、
前記受信された統合コンテンツを格納し、あらかじめ格納された統合コンテンツを抽出するコンテンツ格納部と、
前記提供される統合コンテンツを前記ユーザ情報端末又は前記格納媒体に格納されたユーザ権限に応じて解読するコンテンツ解読器と、
前記解読された統合コンテンツをそれぞれのコンテンツ復号化器によって復号化するコンテンツ復号部と、
前記復号化された統合コンテンツを１画面にレンダリングするコンテンツレンダリング部と、
前記統合コンテンツのメタデータを解析して使用権限を確認した後に解析された内容を伝達する統合コンテンツメタデータ解析／コンテンツ使用制御部と、
前記要請された統合コンテンツが前記コンテンツ格納部に存在するかをチェックし、前記要請された統合コンテンツが存在すれば、これを抽出して前記統合コンテンツメタデータ解析／コンテンツ使用制御部に提供するようにし、前記要請された統合コンテンツが存在しなければ、前記ネットワークを介して統合コンテンツ要請信号を前記コンテンツサーバシステムに伝送する統合コンテンツ要請部と、
前記あらかじめ格納された統合コンテンツの全体のリストを表示し、要請された統合コンテンツのコンテクスト及び内容を表示し、前記レンダリングされる統合コンテンツを提供するユーザインターフェース部と
を含むことを特徴とする請求項２０に記載のマルチメディアサービスシステム。
【請求項２４】
統合マルチメディアファイルフォーマット構造を有する統合コンテンツを提供するマルチメディアサービス方法であって、
コンテンツサーバシステムの統合コンテンツ要請受信部でネットワークを介して伝送される統合コンテンツ要請信号を受信するかをチェックする過程と、
前記統合コンテンツ要請信号が受信されれば、ユーザ認証を行い、ユーザのコンテンツ使用権限の範囲を確認する過程と、
前記ユーザ認証と前記使用権限に応じて適合したコンテンツを要求し、これにより要請されたコンテンツをコンテンツ保護方法に応じて暗号化する過程と、
前記コンテンツ保護方法を記述するための情報記録のためにコンテンツ保護メタデータを生成し、前記コンテンツのライセンス情報の記録のためにライセンスメタデータを生成する過程と、
前記暗号化されたコンテンツ、前記コンテンツ保護メタデータ及び前記ライセンスメタデータを同期化情報に応じて１つの統合コンテンツに生成してネットワークを介してユーザ情報端末に伝送する過程と、
前記ユーザ情報端末から前記統合コンテンツを受信して格納する過程と
を含むことを特徴とするマルチメディアサービス方法。
【請求項２５】
統合マルチメディアファイルフォーマット構造を有する統合コンテンツを提供するマルチメディアサービス方法であって、
ユーザ情報端末から任意の統合コンテンツが要請されるかをチェックする過程と、
前記任意の統合コンテンツが要請されれば、要請された該当コンテンツが存在するかをチェックする過程と、
前記要請された該当コンテンツが存在すれば、あらかじめ格納された統合コンテンツの全体のリストを表示し、前記統合コンテンツのメタデータを解析して使用権限を確認した後に要請された統合コンテンツのコンテクスト及び内容を表示する過程と、
前記ユーザ情報端末から任意の統合コンテンツを実行する命令が入力されれば、該当コンテンツを抽出し、前記ユーザ情報端末又は格納媒体に格納されたユーザ権限に応じて解読する過程と、
前記解読された統合コンテンツを同期化情報に応じて復号化し、レンダリングして実行する過程と
を含むことを特徴とするマルチメディアサービス方法。
【請求項２６】
前記マルチメディアサービス方法は、
前記要請された該当コンテンツが存在しなければ、前記統合コンテンツ要請信号をネットワークを介してコンテンツサーバシステムに伝送する過程を更に含むことを特徴とする請求項２５に記載のマルチメディアサービス方法。
【発明の詳細な説明】
【技術分野】
【０００１】
本発明は、統合マルチメディアファイルフォーマット構造と、これに基づくマルチメディアサービスシステム及び方法に関し、更に詳しくは、統合マルチメディアファイルフォーマット構造と、これに基づいた統合コンテンツを生成し提供するのに適合した統合マルチメディアサービスシステム及び方法に関する。
【背景技術】
【０００２】
周知のように、ユーザ情報端末は通信機能だけでなく、写真撮影、ビデオ録画、音楽再生などを行えるほど、マルチメディアデータを容易に処理しており、特に、ＭＰ３のような音楽ファイルをこのようなユーザ情報端末で再生して聴取することが非常に日常化している。
【０００３】
このような音楽ファイルは、格納媒体を有する携帯型小型再生装置（例えば、ＭＰ３プレーヤなど）、個人用コンピュータ（ＰＣ）などに格納して格納された音楽ファイルの中から所望の任意の音楽ファイルを抽出して再生する。
【０００４】
一方、広く用いられる音楽ファイルフォーマットとしては、ＭＰ３（ＭＰＥＧ-１ Ａｕｄｉｏ Ｌａｙｅｒ III）、ＭＰＥＧ-２／４ ＡＡＣ（Ａｄｖａｎｃｅｄ Ａｕｄｉｏ Ｃｏｄｉｎｇ）、ＷＭＡ、ＡＶＩなどのファイルフォーマットが挙げられるが、このような音楽ファイルフォーマットは単純に音楽データと音楽内容（例えば、音楽のタイトル、歌手名、アルバム名、作曲者名、作曲年度、著作権者など）に関するメタデータを含んでいるため、音楽データに関する詳細な情報を獲得していない状態で聴取しなければならないという問題点があった。
【０００５】
更に、音楽ファイル圧縮フォーマットとして用いられるこのような音楽ファイルフォーマットは、英語の聞き取り学習資料、ストーリーテリングなどの分野にも用いられるが、このような応用された環境でも音源の内容に同期化して関連内容を補充説明する画像ファイルや内容関連のテキスト情報を統合的に提供できるファイルフォーマットがないため、音源にのみ依存する制約的な応用にとどまっているのが現状である。
【０００６】
例えば、ＭＰ３の場合、圧縮されたオーディオデータだけでなく、制約的な音楽内容（例えば、音楽のタイトル、歌手名、アルバム名、作曲者名、作曲年度、著作権者など）に関するメタデータを含んでいるため、このようなメタデータを用いた関連情報を提供して単に聴取しなければならないという問題点を補完している。
【０００７】
一方、このような音楽ファイルを再生する再生装置（プレーヤ）は、携帯用情報端末の場合、主に制約的な駆動バッテリー、計算能力及び格納能力を有し、制約的なディスプレイ装置（即ち、テキスト情報提供）のみを含むのが一般的であった。
【０００８】
また、このような問題点を補完するために、ＭＰ３音楽ファイルの場合にＭＰ３再生機がネットワークを介してサーバに連結されて音楽再生時の音楽のタイトルなどの関連情報をサーバに送り、これに応答してサーバでは関連音楽ファイルの歌詞をＭＰ３再生機から受信した後に、これを同期化して音楽データを再生しながら、歌詞をディスプレイしている。
【０００９】
しかしながら、このような従来の方式は、ＭＰ３再生機をネットワークに接続できない場合には、歌詞を受信してディスプレイすることができず、歌詞を持続的に受信してディスプレイするためには、ネットワーク接続のために多くのコストがかかるという問題点があった。
【発明の開示】
【発明が解決しようとする課題】
【００１０】
そこで、本発明は少なくとも一式の目的は、オーディオデータと関連した少なくとも１つのイメージデータ、テキストデータ、ビデオデータ、コンテンツ保護メタデータ及びライセンス情報メタデータを含むコンテンツを統合構成または組合せることができる統合マルチメディアファイルフォーマット構造を提供することにある。
【００１１】
また、本発明の他の目的は、統合マルチメディアファイル構造に基づいて統合コンテンツを生成し提供できるマルチメディアサービスシステム及びその方法を提供することにある。
【課題を解決するための手段】
【００１２】
本発明の一様態による本発明は、ＩＳＯ準拠のファイルフォーマットを用いてオーディオ圧縮データと関連したビデオ圧縮データ、イメージデータ、テキストデータ、コンテンツ情報メタデータのうちの少なくとも１つを含むコンテンツを統合構成する統合マルチメディアファイルフォーマット構造であって、多数のｔｒａｋボックスを用いて前記オーディオ圧縮データに対応するビデオ圧縮データ、イメージデータ、テキストデータ、イメージ、ビデオ又はテキストデータにアニメーション効果を付与するスクリプトデータ、コンテンツ保護メタデータ及びライセンス保護メタデータのうちの少なくとも１つのデータを指示し、同期化テキストデータを１つの別途のｔｒａｋボックスに指定するｍｏｏｖボックスと、前記ｍｏｏｖボックスの各ｔｒａｋボックスにより指示される該当データを含み、前記別途のｔｒａｋボックスに対応する同期化テキストデータを含むｍｄａｔボックスと、前記コンテンツ情報が記録されたメタデータを格納するｍｅｔａボックスとを含む統合マルチメディアファイルフォーマット構造を提供する。
【００１３】
他の様態による本発明は、統合マルチメディアファイルフォーマット構造を有する統合コンテンツを提供するマルチメディアサービスシステムであって、前記統合コンテンツの使用権限を設定し、これに対するライセンス情報メタデータを生成し、前記コンテンツを前記生成されたライセンス情報メタデータに応じて暗号化し、前記暗号化に関連したコンテンツ保護メタデータを生成し、これにより前記統合マルチメディアファイルフォーマット構造を有する統合コンテンツを生成して有線及び／又は無線ネットワークを介して伝送するコンテンツサーバシステムと、前記ネットワークを介して前記統合コンテンツを受信して格納し、前記格納された統合コンテンツを前記ライセンス情報メタデータ及び前記コンテンツ保護メタデータに応じて解読して復号化した後にこれを表示し、該当統合コンテンツの実行命令に応じてこれを実行するユーザ情報端末とを含むマルチメディアサービスシステムを提供する。
【００１４】
更に、他の様態による本発明は、統合マルチメディアファイルフォーマット構造を有する統合コンテンツを提供するマルチメディアサービス方法であって、コンテンツサーバシステムの統合コンテンツ要請受信部でネットワークを介して伝送される統合コンテンツ要請信号を受信するかをチェックする過程と、前記統合コンテンツ要請信号が受信されれば、ユーザ認証を行い、ユーザのコンテンツ使用権限の範囲を確認する過程と、前記ユーザ認証と前記使用権限に応じて適合したコンテンツを要求し、これにより要請されたコンテンツをコンテンツ保護方法に応じて暗号化する過程と、前記コンテンツ保護方法を記述するための情報記録のためにコンテンツ保護メタデータを生成し、前記コンテンツのライセンス情報の記録のためにライセンスメタデータを生成する過程と、前記暗号化されたコンテンツ、前記コンテンツ保護メタデータ及び前記ライセンスメタデータを同期化情報に応じて１つの統合コンテンツに生成してネットワークを介してユーザ情報端末に伝送する過程と、前記ユーザ情報端末から前記統合コンテンツを受信して格納する過程とを含むマルチメディアサービス方法を提供する。
【００１５】
更に、他の様態による本発明は、統合マルチメディアファイルフォーマット構造を有する統合コンテンツを提供するマルチメディアサービス方法であって、ユーザ情報端末から任意の統合コンテンツが要請されるかをチェックする過程と、前記任意の統合コンテンツが要請されれば、要請された該当コンテンツが存在するかをチェックする過程と、前記要請された該当コンテンツが存在すれば、あらかじめ格納された統合コンテンツの全体のリストを表示し、前記統合コンテンツのメタデータを解析して使用権限を確認した後に要請された統合コンテンツのコンテクスト及び内容を表示する過程と、前記ユーザ情報端末から任意の統合コンテンツを実行する命令が入力されれば、該当コンテンツを抽出し、前記ユーザ情報端末又は格納媒体に格納されたユーザ権限に応じて解読する過程と、前記解読された統合コンテンツを同期化情報に応じて復号化し、レンダリングして実行する過程とを含むマルチメディアサービス方法を提供する。
【発明の効果】
【００１６】
以上説明したように、本発明によれば、オーディオデータとこれに関連した単純なテキスト情報のみを提供する従来のものとは異なり、マルチメディアサービスシステムでオーディオ圧縮データ、イメージデータ、テキストデータ、前記イメージ、テキスト、及びビデオデータなどにアニメーション効果を付与するスクリプトデータ、コンテンツ保護メタデータ及びライセンスメタデータを含む統合コンテンツを生成する。このような統合コンテンツを提供することによって、オーディオ圧縮データはこれに関連したイメージデータ及びテキストデータを同期化して実行することで、マルチメディアサービスシステムで統合マルチメディアファイルフォーマット構造を有する統合コンテンツを生成して効果的に提供できるという効果を奏する。
【００１７】
また、統合マルチメディアファイルフォーマット構造を有する統合コンテンツを提供することで、オーディオ圧縮データとこれに関連したイメージデータ、テキストデータなどを同期化させて同時に実行することができ、マルチメディアサービスを利用するユーザの多様な欲求を充足させることができる。
【発明を実施するための最良の形態】
【００１８】
以下、添付の図面を参照しつつ、本発明の好適な実施形態について詳細に説明する。
【００１９】
図１〜図６は、本発明の第１実施形態による統合マルチメディアファイルフォーマット構造の多様な形態を示す図である。
【００２０】
図１に示されているように、オーディオ圧縮データと関連した少なくとも１つ以上のイメージ（例えば、歌手の写真、ミュージックアルバムの写真、ストーリー関連内容（漫画）のピクチャー、単語の発音と関連する舌の位置写真、語学会話用文章関連の状況説明イメージなど）データと、オーディオ関連テキストデータ（歌の歌詞テキスト、ストーリー文章テキスト、語学用文章テキスト、発音単語テキストなど）と、イメージ、ビデオ、テキストデータなどにアニメーション効果を付与するスクリプトデータと、各データ間の同期化データ、各データの保護（暗号化）と関連したコンテンツ保護情報メタデータと、関連コンテンツに対する使用権限などに関するライセンス情報メタデータを含む映像、イメージ及びテキストデータをオーディオ圧縮データと共に１つのデータとして構成するためにＭＰＥＧ-４ファイルフォーマット構造を用いる。図１〜図６において、ｆｔｙｐｅはファイルタイプを意味し、ｍｏｏｖはそれぞれのメタデータを指定するトラック（ｔｒａｋ）ボックスを含み、ｍｄａｔは各ｔｒａｋボックスに関連したそれぞれのデータを含み、ｍｅｔａは各ｔｒａｋボックスに指定されるメタデータを含む。メタボックスは、コンテンツ保護メタデータ、ライセンス情報メタデータ及び非同期化ＭＰＥＧ-７メタデータのうちの少なくとも１つを含むことができる。また、これらのコンテンツ保護メタデータ、ライセンス情報メタデータ及び非同期化ＭＰＥＧ-７メタデータは、ＭＰＥＧ-２１ ＤＩＤを用いて記録することができ、このようなコンテンツ保護メタデータ及びライセンス情報メタデータは、ＭＰＥＧ-２１ ＩＰＭＰ（Ｉｎｔｅｌｌｅｃｔｕａｌ Ｐｒｏｐｅｒｔｙ Ｍａｎａｇｅｍｅｎｔ ａｎｄ Ｐｒｏｔｅｃｔｉｏｎ）規格を用いてコンテンツ保護情報を表すことができる。
【００２１】
イメージ、ビデオ、テキストデータなどにアニメーション効果を付与するスクリプトデータは、ＭＰＥＧ-４ ＬＡＳｅＲ（Ｌｉｇｈｔｗｅｉｇｈｔ Ａｐｐｌｉｃａｔｉｏｎ Ｓｃｅｎｅ Ｒｅｐｒｅｓｅｎｔａｔｉｏｎ）標準、ＳＭＩＬ（Ｓｙｎｃｈｒｏｎｉｚｅｄ Ｍｕｌｔｉｍｅｄｉａ Ｉｎｔｅｇｒａｔｉｏｎ Ｌａｎｇｕａｇｅ）標準、ＳＶＧ（Ｓｃａｌａｂｌｅ Ｖｅｃｔｏr Ｇｒａｐｈｉｃ）標準、ＳＶＧ Ｔｉｎｙ標準及びＸＭＬ標準のうちの少なくとも１つを用いて構成されることができる。
【００２２】
オーディオ圧縮データ（例えば、ＭＰ３オーディオデータなど）は、ＭＰＥＧ-４ファイルフォーマットのｍｏｏｖボックス内の任意のｔｒａｋボックスを用いてｍｄａｔボックス内のＭＰ３データを指示し、他のｔｒａｋボックスを用いてｍｄａｔボックス内のオーディオ関連テキストデータ（例えば、ＭＰＥＧ-７メタデータなど）を指示し、オーディオ圧縮データと関連した少なくとも１つ以上のイメージデータ（例えば、ＪＰＥＧイメージなど）もそれぞれｍｏｏｖボックス内の更に他のｔｒａｋボックスを指示する。
【００２３】
また、ＭＰＥＧ-７メタデータが歌の歌詞、ストーリー文章、会話体文章などのテキストを含む場合、各最初の文章又は最初の音節にタイム情報データ（即ち、タイムスタンプ）を含めて音楽データ（ＭＰ３）の再生時に同期化を行う。更に、歌の歌詞、ストーリー文章テキスト、語学会話体テキスト、発音単語テキストなどのような同期化テキストデータは、１つの別途の同期化テキスト（ｔｉｍｅｄ ｔｅｘｔ）にして１つのファイル、１つのｔｒａｋボックスでｍｏｏｖボックス内に指定できる。また、ＭＰＥＧ-４ファイルフォーマットのｔｒａｋボックスに定義できるタイムスタンプ、オフセット、チャンク単位などの同期化情報を含めることで、オーディオ再生時点との同期化が可能になる。
【００２４】
一方、イメージデータ（例えば、ＪＰＥＧデータ）を指示する各ｔｒａｋボックス内にはそれぞれのイメージが音楽再生時間に合せて同期化されて再生するための時間情報（例えば、タイムスタンプ、オフセット、チャンク単位など）を挿入することになり、他のイメージに変換するためにイメージデータにアニメーション効果を付与するスクリプトデータを含むことができる。各ｔｒａｋボックスが指示するデータが保護（暗号化）されている場合、どういった暗号化方法で暗号化したか、どの区間を暗号化したか、暗号化を解除するためのキーデータの位置情報などに関するコンテンツ保護メタデータ及びコンテンツ使用権限と関連したライセンス情報メタデータはｍｅｔａボックス内のｘｍｌボックスにＭＰＥＧ-２１ ＩＰＭＰ（Ｉｎｔｅｌｌｅｃｔｕａｌ Ｐｒｏｐｅｒｔｙ Ｍａｎａｇｅｍｅｎｔ ａｎｄ Ｐｒｏｔｅｃｔｉｏｎ）Ｃｏｍｐｏｎｅｎｔｓを用いて記録する。ここで、ＭＰＥＧ-２１  ＩＰＭＰ-２１ ＩＰＭＰメタデータの無欠性を確認するために前記メタデータはハッシュ関数で暗号化し、これに対するデジタル署名データを含むことができる。
【００２５】
このような統合マルチメディアファイルフォーマット構造は、音楽データとしてＭＰ３だけでなく、ＭＰＥＧ-２／４ ＡＡＣ、ＷＭＡ、ＡＶＩ、Ｇ．７２３、ＰＣＭ、ＭＰＥＧ-４ ＡＬＳ（Ａｕｄｉｏ Ｌｏｓｓｌｅｓｓ Ｃｏｄｉｎｇ）、ＭＰＥＧ-４ ＤＳＴ（Ｌｏｓｓｌｅｓｓ Ｃｏｄｉｎｇ ｏｆ ｏｖｅｒｓａｍｐｌｅｄ ａｕｄｉｏ）などの他のオーディオファイルフォーマットも可能である。また、イメージデータファイルはＪＰＥＧだけでなく、ＰＮＧ、ＢＭＰ、ＴＩＦＦ、ＪＰＥＧ２０００、ＭＰＥＧ Ｉ-Ｆｒａｍｅ、ＧＩＦ、ａｎｉｍａｔｅｄ ＧＩＦ、ＰＧＭＹＵＶ、ＰＧＭ、ＹＵＶ、ＳＧＩなどの他の映像ファイルフォーマットも可能であることはもちろんである。更に、ビデオデータファイルは、Ｈ.２６４／ＡＶＣ、ＳＶＣ、ＭＰＥＧ-１、ＭＰＥＧ-２、ＭＰＥＧ-４、ＷＭＶ、 Ｈ.２６１、 Ｈ.２６３、 Ｈ.２６Ｌ、ＡＶＩ、ＲｅａｌＶｉｄｅｏ、ＤＶ、ＭＪＰＥＧ、Ａｐｐｌｅ Ｖｉｄｅｏファイルフォーマットのうちの少なくとも１つを支援できることはもちろんである。
【００２６】
非同期化ＭＰＥＧ-７メタデータ（例えば、音楽のタイトル、音楽アルバム名、歌手名など）は、ｍｅｔａボックスのｘｍｌボックスのＭＰＥＧ-２１ ＤＩＤ内に含まれることができる。また、オーディオまたは映像と同期化が必要なテキストデータ（例えば、歌の歌詞、ストーリー文章テキスト、語学会話体テキスト、発音単語テキストなど）は、別途のｔｒａｋボックスに対応してｍｄａｔボックス内に含まれてもよい。ｍｅｔａボックス内にＭＰＥＧ-２１ ＤＩＤの各ｔｒａｋボックスを指示する各アイテム情報は、ｍｅｔａボックス内にｉｉｎｆｏとｉｌｏｃ情報でマッピングされ得る。
【００２７】
特に、図６に示すように、ｍｄａｔ内にビデオデータ（Ｖｉｄｅｏ ｄａｔａ）に対するｔｒａｋボックスを含んでマルチメディア統合コンテンツを構成することができる。
【００２８】
図７は、前述した第１実施形態による統合マルチメディアファイルフォーマット構造に関する他の形態の統合マルチメディアファイルフォーマット構造を示す。図７において、ｍｄａｔボックス内のｍｏｏｖボックスは、図１〜図６に対応して多様な統合マルチメディアファイルフォーマットで構成されることができる。
【００２９】
図８は、本発明の第２実施形態による統合マルチメディアファイルフォーマット構造の一形態を示す図であり、図８のｍｄａｔボックス内のｍｏｏｖボックスは、図７に示された各種の統合マルチメディアファイルフォーマットで構成されることができる。
【００３０】
図８に示すように、音楽ＣＤタイトルなどのように、１つ以上のオーディオトラックボックスを音楽アルバムデータに対して１つの統合ファイルフォーマット構造で実現できる。少なくとも１つ以上のオーディオトラックボックスは、ｍｄａｔボックス内にそれぞれのＭＰＥＧ-４ファイルフォーマットの形態で存在することができる。このような場合、ｍｏｏｖボックスで示す同一な統合ファイルフォーマット構造であって、図１〜図６でのように、１つの別途ファイル構造を有することができる。
【００３１】
ここで、ｍｅｔａボックス内にＭＰＥＧ-２１ ＤＩＤの各ｔｒａｋボックスを指示する各アイテム情報は、ｍｅｔａボックス内にｉｉｎｆｏとｉｌｏｃ情報でマッピングされ得る。
【００３２】
前述した図８の第２実施形態による統合マルチメディアファイルフォーマット構造に対する他の形態として、図９に示すような統合マルチメディアファイルフォーマット構造を有することもできる。
【００３３】
図１０は、本発明によるコンテンツ保護ツールに関する一般情報を叙述するＩＰＭＰ一般情報叙述子の構造を示す図である。
【００３４】
図１０に示すように、オーディオデータ、映像データ及びテキストデータはＭＰＥＧ-２１  ＩＰＭＰ コンポーネント標準規格（ＩＳＯ／ＩＥＣ２１０００-４）に基づき、簡略化して該当コンテンツを保護することができる。ＭＰＥＧ-２１  ＩＰＭＰのＩＰＭＰ一般情報叙述子を通じてコンテンツ保護ツールに関する情報、例えばコンテンツ暗号化ツール（アルゴリズム）の識別番号、ツールの所属情報、ツールデータなどを直接記録できるデータコンテナ、ツールが外部に存在する場合に実際に存在する位置情報、コンテンツ保護メタデータの無欠性を立証するためのデジタル署名情報を含むコンテナなどを叙述することができる。具体的なデータタイプは、下記表１及び表２に示す通りである。
【００３５】
表１は、本発明によってコンテンツ保護ツールに関する一般情報を叙述するＭＰＥＧ-２１  ＩＰＭＰのＩＰＭＰ一般情報叙述子構造のセマンティックスを説明するものである。表２は、本発明によってコンテンツ保護ツールに関する一般情報を叙述するＭＰＥＧ-２１  ＩＰＭＰの一般情報叙述子の構造内のツール叙述情報を表す要素の具体的なセマンティックスを説明するものである。
【表１】
2009506475.tif 000003
【表２】
2009506475.tif 000004
【００３６】
2009506475.tif 000005
【００３７】
図１１は、本発明によって特定のコンテンツ保護のために用いたコンテンツ保護ツールに関する情報を叙述するＩＰＭＰ情報叙述子の構造を示す図である。
【００３８】
図１１に示すように、ＩＰＭＰ情報叙述子は、コンテンツ暗号化ツール（アルゴリズム）の識別番号、ツールの所属情報、ツールデータを直接記録できるデータコンテナ、ツールが外部に存在する場合に実際位置情報、コンテンツ保護メタデータの無欠性を立証するためのデジタル署名情報、実際暗号化過程時に用いられたパラメータ値、初期化設定データ値、著作権及び利用権限に対するメタデータ及びこれらの全てから構成されたメタデータに対する無欠性を立証するためのデジタル署名などのデータを叙述する。具体的なデータタイプは、下記表３及び表４に示す通りである。
【００３９】
表３は、本発明によってコンテンツ保護ツールに関する情報を叙述するＩＰＭＰ情報叙述子構造のセマンティックスを説明するものである。表４は、本発明によってコンテンツ保護ツールに関する情報を叙述するＩＰＭＰ情報叙述子構造内のツールに基づく叙述情報要素、初期化設定要素及び著作権叙述要素の具体的なセマンティックスを説明するものである。
【表３】
2009506475.tif 000006
【００４０】
2009506475.tif 000007
【００４１】
2009506475.tif 000008
【表４】
2009506475.tif 000009
【００４２】
2009506475.tif 000010
【００４３】
図１２は、本発明によってＭＰＥＧ-４ファイルフォーマットを用いて単一ｔｒａｋボックスオーディオ及び映像データを保護するファイルフォーマット構造の一形態を示す図である。図１３は、本発明によってＭＰＥＧ-４ファイルフォーマットを用いて単一ｔｒａｋボックスオーディオ及び映像データを保護するファイルフォーマット構造の他の形態を示す図である。
【００４４】
図１２及び図１３に示すように、一形態によるファイルフォーマット構造では、ＭＰ３データとＪＰＥＧデータに関するコンテンツ保護情報（ＩＰＭＰ叙述子）は、ＭＰＥＧ-４ファイルフォーマットのｍｏｏｖボックス内のｉｐｍｃボックスに記録して示すことができる。他の形態によるファイルフォーマット構造では、ＭＰ３データと少なくとも１つ以上のＪＰＥＧデータに関する保護情報（ＩＰＭＰ_ＤＩＤＬ）はＭＰＥＧ-４ファイルフォーマット内のｘｍｌボックス内に記録して表すことができる。ＩＰＭＰの最も上位アイテム（Ｉｐｍｐｄｉｄｌ：Ｉｔｅｍ）はｍｏｏｖボックス内のあらゆるｔｒａｋボックスに関するコンテンツ保護情報を示し、その下部のアイテム（Ｉｐｍｐｄｉｄｌ：Ｉｔｅｍ）はｍｏｏｖボックス内のそれぞれ対応するｔｒａｋボックスが指示するＭＰ３データ又はＪＰＥＧデータに関する保護情報を示す。
【００４５】
図１４は、本発明によってＭＰＥＧ-４ファイルフォーマットを用いて複数ｔｒａｋボックスオーディオ及び映像データを保護するファイルフォーマット構造を示す図である。
【００４６】
図１４に示すように、複数のｔｒａｋボックス内のＭＰ３データと少なくとも１つ以上のＪＰＥＧデータに関する保護情報（ＩＰＭＰ_ＤＩＤＬ）は、ＭＰＥＧ-４ファイルフォーマット内のｘｍｌボックス内に記録して示すことができる。ＩＰＭＰの最も上位アイテム（Ｉｐｍｐｄｉｄｌ：Ｉｔｅｍ）はｍｄａｔボックス内の各ｍｏｏｖボックスが含んでいるコンテンツの保護情報を示す。また、保護情報（ＩＰＭＰ_ＤIＤＬ）は、図１３の単一ｔｒａｋボックスオーディオ及び映像データを保護するファイルフォーマット構造の他の形態を拡張した形態を有する。
【００４７】
図１５は、本発明によって統合マルチメディアファイルフォーマット構造に基づいてマルチメディアコンテンツサービスを提供するのに適合したマルチメディアサービスシステムのブロック構成図であって、ユーザ情報端末１００、ネットワーク２００、コンテンツサーバシステム３００及び格納媒体４００を含む。
【００４８】
図１５に示すように、ユーザ情報端末１００は、統合コンテンツ受信部１０２、受信コンテンツ格納部１０４、コンテンツ解読器１０６、コンテンツ復号部１０８、コンテンツレンダリング部１１０、統合コンテンツメタデータ解析／コンテンツ使用制御部１１２、統合コンテンツ要請部１１４及びユーザインターフェース部１１６を含む。ユーザ情報端末１００は、有線端末（例えば、ネットワーク接続手段を有する個人用コンピュータなど）又は無線端末（例えば、セルラーフォン、ＰＣＳ、ＰＤＡ、ＩＭＴ-２０００端末、ＰＤＡフォン、スマートフォンなど）を含むことができ、ユーザがユーザインターフェース部１１６を通じて自分のコンテンツ使用権限により統合コンテンツを要請するようにするのに用いられる。
【００４９】
そして、ユーザ情報端末１００は、このようなコンテンツ要請命令を統合コンテンツ要請部１１４を通じて行う。もし任意の統合コンテンツがユーザ情報端末１００の受信コンテンツ格納部１０４に存在すれば、格納された統合コンテンツの全体のリストを表示する。要請された統合コンテンツのコンテクスト及び内容をユーザインターフェース部１１６に表示するために、統合コンテンツメタデータ解析／コンテンツ使用制御部１１２で統合コンテンツのメタデータを解析して使用権限を確認した後にユーザインターフェース部１１６に解析された内容を伝達する。
【００５０】
また、ユーザ情報端末１００ではユーザが所望する統合コンテンツが受信コンテンツ格納部１０４に存在する場合、統合コンテンツメタデータ解析／コンテンツ使用制御部１１２を介して該当統合コンテンツを選択し、ユーザインターフェース部１１６からの実行命令に応じて該当コンテンツを抽出し、保護されたコンテンツをコンテンツ解読器１０６によって解読する。
【００５１】
ここで、解読のためのユーザの権限は、ユーザ情報端末１００又は格納媒体４００に格納されることができ、コンテンツ解読器１０６から呼び出されたユーザの権限に応じてコンテンツの使用が制限され得ることはもちろんである。
【００５２】
更に、ユーザ情報端末１００では、抽出及び解読されたそれぞれのコンテンツをコンテンツ復号部１０８内のそれぞれ対応するコンテンツ復号化器によって復号化し、多数のコンテンツを１画面にレンダリングするために、コンテンツレンダリング部１１０を経てユーザインターフェース部１１６を通じてレンダリングする。
【００５３】
一方、ユーザ情報端末１００では、ユーザインターフェース部１１６に表示された統合コンテンツの目録上にユーザが所望する統合マルチメディアコンテンツが存在しなければ、統合コンテンツ要請信号を統合コンテンツ要請部１１４からネットワーク２００、即ち、有線及び／又は無線通信ネットワークを介してコンテンツサーバシステム３００に伝送する。
【００５４】
コンテンツサーバシステム３００は、統合コンテンツ要請受信部３０２、コンテンツ保護／ライセンス管理部３０４、ユーザ認証部３０６、コンテンツ引出部３０８、コンテンツ格納部３１０、コンテンツ暗号部３１２、コンテンツ保護メタデータ生成部３１４、ライセンスメタデータ生成部３１６、統合コンテンツ生成部３１８及び統合コンテンツ伝送部３２０を含む。コンテンツサーバシステム３００は、ネットワーク２００を介して伝送される統合コンテンツ要請信号を統合コンテンツ要請受信部３０２を通じて受信し、このような統合コンテンツ要請信号をコンテンツ保護／ライセンス管理部３０４に伝達し、ユーザ認証部３０６を通じてユーザのコンテンツ使用権限の範囲を確認する。
【００５５】
コンテンツサーバシステム３００のコンテンツ保護／ライセンス管理部３０４は、ユーザ認証とユーザのコンテンツ使用権限に応じてコンテンツ引出部３０８にコンテンツ格納部３１０から使用権限に適合したコンテンツを抽出するように要求する。要求に応じて提供されるコンテンツは、コンテンツ保護／ライセンス管理部３０４のコンテンツ保護方法に応じてコンテンツ暗号部３１２で暗号化される。
【００５６】
コンテンツサーバシステム３００では、コンテンツ保護／ライセンス管理部３０４におけるコンテンツ保護方法を記述するための情報を記録するため、コンテンツ保護メタデータ生成部１１４でコンテンツ保護メタデータを生成し、コンテンツ保護／ライセンス管理部３０４の決定に従ったライセンス情報の記録のためにライセンスメタデータ生成部３１６でライセンスメタデータを生成する。
【００５７】
コンテンツサーバシステム３００では、コンテンツ暗号部３１２、コンテンツ保護メタデータ生成部３１４及びライセンスメタデータ生成部３１６から出力されるそれぞれの暗号化されたコンテンツ、コンテンツ保護メタデータ、ライセンスメタデータ及び各コンテンツの同期化情報のようなファイルフォーマット構成情報の伝達を受けて統合コンテンツ生成部３１８によって１つの統合コンテンツを生成してこれを統合コンテンツ伝送部３２０に伝達し、統合コンテンツ伝送部３２０でネットワーク２００を介してユーザ情報端末１００に伝送する。
【００５８】
ユーザ情報端末１００では、統合コンテンツ受信部１０２を通じてこのような統合コンテンツを受信して受信コンテンツ格納部１０４に格納する。また、ユーザが要求した統合コンテンツが受信されたことを表示するために、統合コンテンツメタデータ解析／コンテンツ使用制御部１１２で前記受信された統合コンテンツメタデータを分析し、統合コンテンツのコンテクスト及び使用権限をユーザインターフェース部１１６に伝達して表示する。
【００５９】
そして、ユーザ情報端末１００では、ユーザインターフェース部３１６からの実行命令に応じてユーザが要求した該当統合コンテンツを抽出し、保護されたコンテンツをコンテンツ解読器３０６でユーザ情報端末１００又は格納媒体４００に格納されたユーザ権限に応じて解読する。このような抽出及び解読されたそれぞれのコンテンツをコンテンツ復号部１０８内のそれぞれのコンテンツ復号化器によって復号化し、多数のコンテンツを１画面にレンダリングするためにコンテンツレンダリング部１１０を経てユーザインターフェース部１１６によってレンダリングする。
【００６０】
格納媒体４００は、例えば、光ディスク、ハードディスク、メモリなどを含み、ユーザ情報端末１００に接続されて、ユーザの要請に応じて格納された任意の統合コンテンツ（例えば、ＭＰ３データなど）を抽出してこれをユーザ情報端末１００のコンテンツ解読器１０６に伝達する。
【００６１】
次に、前述したような構成を有するコンテンツサービスシステムで統合マルチメディアファイルフォーマット構造に基づいて生成された統合コンテンツをユーザ情報端末に提供し、このような統合コンテンツをユーザの要請及び権限に応じて提供する過程について説明する。
【００６２】
図１６は、本発明によってマルチメディアサービスシステムで統合マルチメディアファイルフォーマット構造に基づいて統合コンテンツサービスの要請時に格納された該当コンテンツを提供する過程を示すフローチャートであり、図１７は、本発明によってマルチメディアサービスシステムで統合マルチメディアファイルフォーマット構造に基づいて統合コンテンツ要請信号に応じて統合コンテンツを提供する過程を示すフローチャートである。
【００６３】
図１６及び図１７を参照すれば、ユーザ情報端末１００では、ユーザがユーザインターフェース部１１６によって任意の統合コンテンツが要請されるかをチェックする（段階１１０２）。
【００６４】
前記段階１１０２でのチェックの結果、任意の統合コンテンツが要請されれば、ユーザ情報端末１００の統合コンテンツ要請部１１４によって受信コンテンツ格納部１０４に要請された該当コンテンツが存在するかをチェックする（段階１１０４）。
【００６５】
前記段階１１０４でのチェックの結果、要請された該当コンテンツが存在すれば、受信コンテンツ格納部１０４に格納された前記要請されたコンテンツを含む統合コンテンツの全体のリストを表示し、統合コンテンツメタデータ解析／コンテンツ使用制御部１１２で統合コンテンツのメタデータを解析して使用権限を確認した後にユーザインターフェース部１１６に解析された内容を伝達して、要請された統合コンテンツのコンテクスト及び内容をユーザインターフェース部１１６に表示する（段階１１０６）。
【００６６】
そして、ユーザ情報端末１００では、ユーザが統合コンテンツメタデータ解析／コンテンツ使用制御部１１２及びユーザインターフェース部１１６によって統合コンテンツの実行を求める命令が入力されるかをチェックする（段階１１０８）。
【００６７】
前記段階１１０８でのチェックの結果、ユーザインターフェース部１１６を通じた実行命令が入力されれば、受信コンテンツ格納部１０４から該当コンテンツを抽出し、保護されたコンテンツをユーザ情報端末１００又は格納媒体４００に格納されたユーザ権限に応じてコンテンツ解読器１０６によって解読する（段階１１１０）。
【００６８】
次に、ユーザ情報端末１００では、抽出及び解読されたコンテンツをコンテンツ復号部１０８内のコンテンツ復号化器によって復号化し、多数のコンテンツを１画面にレンダリングするために、統合マルチメディアファイルフォーマット構造に記録された同期化情報を用いてコンテンツレンダリング部１１０を経てユーザインターフェース部１１６によってレンダリングする（段階１１１２）。
【００６９】
一方、前記段階１１０４でのチェックの結果、要請された該当コンテンツが存在しなければ、ユーザ情報端末１００の統合コンテンツ要請部１１４から統合コンテンツ要請信号をネットワーク２００を介してコンテンツサーバシステム３００に伝送する（段階１１１４）。
【００７０】
一方、図１７に示すように、コンテンツサーバシステム３００では、ネットワーク２００を介して伝送される統合コンテンツ要請信号を統合コンテンツ要請受信部３０２を通じて受信するかをチェックする（段階１２０２）。
【００７１】
前記段階１２０２でのチェックの結果、統合コンテンツ要請信号が受信されれば、コンテンツ保護／ライセンス管理部３０４及びユーザ認証部３０６によってユーザ認証を行い、ユーザのコンテンツ使用権限の範囲を確認する（段階１２０４）。
【００７２】
コンテンツ保護／ライセンス管理部３０４では、ユーザ認証とユーザのコンテンツ使用権限に応じてコンテンツ引出部３０８を通じてコンテンツ格納部３１０から使用権限に適合したコンテンツを要求する。このように、提供されるコンテンツはコンテンツ保護／ライセンス管理部３０４からのコンテンツ保護方法に応じてコンテンツ暗号部３１２で暗号化される（段階１２０６）。
【００７３】
次に、コンテンツ保護メタデータ生成部１１４では、コンテンツ保護／ライセンス管理部３０４におけるコンテンツ保護方法を記述するための情報記録のために、コンテンツ保護メタデータを生成し、ライセンスメタデータ生成部３１６では、コンテンツ保護／ライセンス管理部３０４の決定に従ったライセンス情報の記録のために、ライセンスメタデータを生成する（段階１２０８）。そして、統合コンテンツ生成部３１８では、コンテンツ暗号部３１２、コンテンツ保護メタデータ生成部３１４及びライセンスメタデータ生成部３１６から出力されるそれぞれの暗号化されたコンテンツ、コンテンツ保護メタデータ及びライセンスメタデータの伝達を受けて１つの統合コンテンツを生成する。その次にこのように生成された統合コンテンツ伝送部３２０に伝達し、統合コンテンツ伝送部３２０からネットワーク２００を介してユーザ情報端末１００に伝送する（段階１２１０）。
【００７４】
次に、ユーザ情報端末１００では、統合コンテンツ受信部１０２によってこのような統合コンテンツを受信して受信コンテンツ格納部１０４に格納する（段階１２１２）。このとき、ユーザが要求した統合コンテンツが受信されたことを表示するために統合コンテンツメタデータ解析／コンテンツ使用制御部１１２で前記受信された統合コンテンツメタデータを分析し、統合コンテンツのコンテクスト及びその使用権限のコンテクストをユーザインターフェース部１１６に伝達する。
【００７５】
ここで、図１７と図１８での過程は、ユーザのコンテンツ要請、要請されたコンテンツの存否、コンテンツ要請信号の伝送、コンテンツ要請信号の受信などによって前述した過程が連係されて持続的に行われるのはもちろんである。
【００７６】
従って、マルチメディアサービスシステムにおいて、ユーザの要請によって統合マルチメディアファイルフォーマット構造を有するコンテンツをユーザ情報端末から抽出して提供するか、或いはコンテンツサーバシステムに接続した後にコンテンツサーバシステムによって生成された統合マルチメディアファイルフォーマット構造を有するコンテンツを受信して提供することができる。
【００７７】
以上の説明では、本発明の好適な実施形態を提示して説明したが、本発明は必ずしもこれに限定されるものではなく、本発明の属する技術分野において通常の知識を有する者であれば本発明の技術的思想から逸脱しない範囲内で様々な置換、変形及び変更が可能であることが容易に分かる。
【図面の簡単な説明】
【００７８】
【図１】本発明の第１実施形態による統合マルチメディアファイルフォーマット構造の多様な形態を示す図である。
【図２】本発明の第１実施形態による統合マルチメディアファイルフォーマット構造の多様な形態を示す図である。
【図３】本発明の第１実施形態による統合マルチメディアファイルフォーマット構造の多様な形態を示す図である。
【図４】本発明の第１実施形態による統合マルチメディアファイルフォーマット構造の多様な形態を示す図である。
【図５】本発明の第１実施形態による統合マルチメディアファイルフォーマット構造の多様な形態を示す図である。
【図６】本発明の第１実施形態による統合マルチメディアファイルフォーマット構造の多様な形態を示す図である。
【図７】本発明の第１実施形態による統合マルチメディアファイルフォーマット構造の他の形態を示す図である。
【図８】本発明の第２実施形態による統合マルチメディアファイルフォーマット構造の一形態を示す図である。
【図９】本発明の第２実施形態による統合マルチメディアファイルフォーマット構造の他の形態を示す図である。
【図１０】本発明によるコンテンツ保護ツールに関する一般情報を叙述するＩＰＭＰ一般情報叙述子の構造を示す図である。
【図１１】本発明によって特定のコンテンツ保護のために用いたコンテンツ保護ツールに関する情報を叙述するＩＰＭＰ情報叙述子の構造を示す図である。
【図１２】本発明によってＭＰＥＧ-４ファイルフォーマットを用いて単一ｔｒａｋオーディオ及び映像データを保護するファイルフォーマット構造の一形態を示す図である。
【図１３】本発明によってＭＰＥＧ-４ファイルフォーマットを用いて単一ｔｒａｋオーディオ及び映像データを保護するファイルフォーマット構造の他の形態を示す図である。
【図１４】本発明によってＭＰＥＧ-４ファイルフォーマットを用いて複数ｔｒａｋオーディオ及び映像データを保護するファイルフォーマット構造を示す図である。
【図１５】本発明によって統合マルチメディアファイルフォーマット構造に基づいてマルチメディアコンテンツサービスを提供するのに適合したコンテンツサービスシステムのブロック構成図である。
【図１６】本発明によってコンテンツサービスシステムで統合マルチメディアファイルフォーマット構造に基づいて統合コンテンツサービスの要請時に格納された該当コンテンツを提供する過程を示すフローチャートである。
【図１７】本発明によってコンテンツサービスシステムで統合マルチメディアファイルフォーマット構造に基づいて統合コンテンツ要請信号に応じて統合コンテンツを提供する過程を示すフローチャートである。
【符号の説明】
【００７９】
１００    ユーザ情報端末
１０２    統合コンテンツ受信部
１０４    受信コンテンツ格納部
１０６    コンテンツ解読器
１０８    コンテンツ復号部
１１０    コンテンツレンダリング部
１１２    統合コンテンツメタデータ解析／コンテンツ使用制御部
１１４    統合コンテンツ要請部
１１６    ユーザインターフェース部
２００    ネットワーク
３００    コンテンツサーバシステム
３０２    統合コンテンツ要請受信部
３０４    コンテンツ保護／ライセンス管理部
３０６    ユーザ認証部
３０８    コンテンツ引出部
３１０    コンテンツ格納部
３１２    コンテンツ暗号部
３１４    コンテンツ保護メタデータ生成部
３１６    ライセンスメタデータ生成部
３１８    統合コンテンツ生成部
３２０    統合コンテンツ伝送部
４００    格納媒体
【図１】
2009506475.tif 000011
【図２】
2009506475.tif 000012
【図３】
2009506475.tif 000013
【図４】
2009506475.tif 000014
【図５】
2009506475.tif 000015
【図６】
2009506475.tif 000016
【図７】
2009506475.tif 000017
【図８】
2009506475.tif 000018
【図９】
2009506475.tif 000019
【図１０】
2009506475.tif 000020
【図１１】
2009506475.tif 000021
【図１２】
2009506475.tif 000022
【図１３】
2009506475.tif 000023
【図１４】
2009506475.tif 000024
【図１５】
2009506475.tif 000025
【図１６】
2009506475.tif 000026
【図１７】
2009506475.tif 000027
【国際調査報告】
2009506475.tif 000028
2009506475.tif 000029